(57)【要約】【課題】印刷解像度の高精細化と印刷速度の高速化に伴い、インクジェット方式の印刷装置に搭載する主電源が大型化している。【解決手段】ハードディスク駆動部を搭載する電子機器に、（ａ）商業電源に接続され、ハードディスク駆動部に第１の電力を供給する主電源と、（ｂ）ハードディスク駆動部の起動時、第１の電力を補う第２の電力をハードディスク駆動部に供給する充電式の副電源と、（ｃ）電力の供給線路上に位置し、ハードディスク駆動部の起動時、電力の供給線路に副電源を電気的に接続するスイッチ部とを搭載する。【選択図】図１
2007245356.tif 000002
【特許請求の範囲】
【請求項１】
ハードディスク駆動部と、
商業電源に接続され、前記ハードディスク駆動部に第１の電力を供給する主電源と、
ハードディスク駆動部の起動時、前記第１の電力を補う第２の電力を前記ハードディスク駆動部に供給する充電式の副電源と、
電力の供給線路上に位置し、ハードディスク駆動部の起動時、電力の供給線路に前記副電源を電気的に接続するスイッチ部と
を有することを特徴とする電子機器。
【請求項２】
請求項１に記載の電子機器において、
前記スイッチ部は、電力の供給経路に対して順方向に接続されたダイオード回路であり、ダイオード回路の両端に順方向降下電圧以上の電位差が発生すると、前記副電源を電力の供給線路に対して電気的に接続する
ことを特徴とする電子機器。
【請求項３】
請求項１に記載の電子機器は、
ハードディスク駆動部の起動時、前記スイッチ部を閉制御するスイッチ制御部を有する
ことを特徴とする電子機器。
【請求項４】
印刷ヘッドと、
画像データを処理して前記印刷ヘッドに供給する画像処理部と、
画像データを記憶するハードディスク駆動部と、
商業電源に接続され、前記ハードディスク駆動部に第１の電力を供給する主電源と、
ハードディスク駆動部の起動時、前記第１の電力を補う第２の電力を前記ハードディスク駆動部に供給する充電式の副電源と、
電力の供給線路上に位置し、ハードディスク駆動部の起動時、電力の供給線路に前記副電源を電気的に接続するスイッチ部と
を有することを特徴とする印刷装置。
【請求項５】
画像定着機と、
画像データを処理して前記画像定着機に供給する画像処理部と、
画像データを記憶するハードディスク駆動部と、
商業電源に接続され、前記ハードディスク駆動部に第１の電力を供給する主電源と、
ハードディスク駆動部の起動時、前記第１の電力を補う第２の電力を前記ハードディスク駆動部に供給する充電式の副電源と、
電力の供給線路上に位置し、ハードディスク駆動部の起動時、電力の供給線路に前記副電源を電気的に接続するスイッチ部と
を有することを特徴とする印刷装置。
【請求項６】
汎用プロセッサと、
データファイルを記憶するハードディスク駆動部と、
商業電源に接続され、前記ハードディスク駆動部に第１の電力を供給する主電源と、
ハードディスク駆動部の起動時、前記第１の電力を補う第２の電力を前記ハードディスク駆動部に供給する充電式の副電源と、
電力の供給線路上に位置し、ハードディスク駆動部の起動時、電力の供給線路に前記副電源を電気的に接続するスイッチ部と
を有することを特徴とするコンピュータ。
【請求項７】
画像データを処理するプロセッサと、
画像データを記憶するハードディスク駆動部と、
商業電源に接続され、前記ハードディスク駆動部に第１の電力を供給する主電源と、
ハードディスク駆動部の起動時、前記第１の電力を補う第２の電力を前記ハードディスク駆動部に供給する充電式の副電源と、
電力の供給線路上に位置し、ハードディスク駆動部の起動時、電力の供給線路に前記副電源を電気的に接続するスイッチ部と
を有することを特徴とするビデオサーバー。
【請求項８】
表示デバイス又は投影デバイスと、
画像データを記憶するハードディスク駆動部と、
商業電源に接続され、前記ハードディスク駆動部に第１の電力を供給する主電源と、
ハードディスク駆動部の起動時、前記第１の電力を補う第２の電力を前記ハードディスク駆動部に供給する充電式の副電源と、
電力の供給線路上に位置し、ハードディスク駆動部の起動時、電力の供給線路に前記副電源を電気的に接続するスイッチ部と
を有することを特徴とする表示装置。
【請求項９】
画像データを処理するプロセッサと、
データファイルを記憶するハードディスク駆動部と、
商業電源に接続され、前記ハードディスク駆動部に第１の電力を供給する主電源と、
ハードディスク駆動部の起動時、前記第１の電力を補う第２の電力を前記ハードディスク駆動部に供給する充電式の副電源と、
電力の供給線路上に位置し、ハードディスク駆動部の起動時、電力の供給線路に前記副電源を電気的に接続するスイッチ部と
を有することを特徴とするゲーム機。
【発明の詳細な説明】
【技術分野】
【０００１】
明細書で提案する発明は、ハードディスク駆動部を搭載する電子機器に関する。電子機器には、印刷装置、コンピュータ、ビデオサーバー、表示装置及びゲーム機が含まれる。
【背景技術】
【０００２】
近年、多くの電子機器には、ハードディスク駆動部が搭載されている。例えば、コンピュータだけでなく、印刷装置、ビデオサーバー、表示装置、ゲーム機その他の民生機器に数多く搭載されている。
ところで、ハードディスク駆動部の起動時には、特にハードディスク駆動部に内臓されたモータの起動にはモータの起動トルクが必要となり、そのため非常に多くの電力が必要となる。
【０００３】
このため、ハードディスク駆動部を搭載する電子機器には、ハードディスク駆動部の起動時を想定して非常に大きな電源供給容量を有する電源（主電源）が搭載されている。
ところが、電源供給容量が大きい電源（主電源）の搭載は、装置本体が大型化する問題がある。加えて、大容量の電源は、重量の増加やコストアップを招く問題がある。
なお、特許文献１には、画像定着機の立ち上げ時間の短縮又は温度維持を目的として、主電源とは別に補助電源を搭載する複写機が開示されている。
【特許文献１】特開２００５−２１５２３９号公報
【発明の開示】
【発明が解決しようとする課題】
【０００４】
ところで、特許文献１で示す技術は、主電源が起動してシステムが完全に稼動する準備が整った後の画像定着機の電力不足を補うものである。すなわち、ハードディスク駆動部の起動時での電力不足を補うものではない。
コメント
従来例との差を明確にする必要があるかもしれません。
従来例では、画像定着機が温まる時間を短縮するため、副電源がなくても（時間がかかるが）画像定着機は起動できるが、その時間短縮のために副電源を接続しています。
本件は、ハードディスク起動時の必ず必要な電力を補うために副電源を接続します。副電源がないと、ハードディスクは起動しなくなります。
この辺を差異の説明としては、どうでしょうか。
また、多くの電子機器では、電源に対する負荷を分散制御し、起動するハードディスク駆動部に優先的に電力を供給する手法を採用する。このため、他のデバイスに対する電力の供給が遅れ、システム全体が起動するまでの時間が長くなる問題がある。
【課題を解決するための手段】
【０００５】
そこで、発明者らは、ハードディスク駆動部で特に大きな電力が必要になるハードディスク駆動部の起動時に、ハードディスク駆動部に電力を補充的に供給できる充電式の副電源を電子機器に搭載する。
すなわち、ハードディスク駆動部を搭載する電子機器を以下に示すように構成する。
（ａ）商業電源に接続され、ハードディスク駆動部に第１の電力を供給する主電源
（ｂ）ハードディスク駆動部の起動時、第１の電力を補う第２の電力をハードディスク駆動部に供給する充電式の副電源
（ｃ）電力の供給線路上に位置し、ハードディスク駆動部の起動時、電力の供給線路に副電源を電気的に接続するスイッチ部
【発明の効果】
【０００６】
発明者らの提案する発明を用いれば、ハードディスク駆動部に搭載する電子機器に搭載する主電源の容量を最大消費電力に比して大幅に小さくできる。
または、発明者らの提案する発明を用いれば、他のデバイスに供給する電力を増やすことができ、システム全体の起動時間を短縮できる。
【発明を実施するための最良の形態】
【０００７】
以下、発明に係る電子機器の一例として、ハードディスク駆動部を搭載するインクジェット方式の印刷装置について説明する。
なお、本明細書で特に図示又は記載されない部分には、当該技術分野の周知又は公知技術を適用する。
また以下に説明する実施形態は、発明の一つの実施形態であって、これらに限定されるものではない。
【０００８】
（Ａ）印刷装置のシステム構成
（Ａ−１）全体構成
図１に、印刷装置１００を用いた印刷システムの機能ブロック構成を示す。
なお、印刷装置１００は、インクジェット方式の印刷装置である。また、印刷装置１００は、シリアルバスやネットワーク経由でホストコンピュータ２００と接続される。
【０００９】
ホストコンピュータ２００には、画像メモリ２０１が搭載され、画像ファイルが格納される。この他、印刷装置１００は、外部記憶媒体から画像ファイルを読み出して印刷できる機能（ダイレクトプリント機能）にも対応する。図１では、外部記憶媒体の一例として、記憶媒体の外観がカード形状のメモリカード（半導体メモリ）３００の場合を示す。
【００１０】
（Ａ−２）印刷装置内の構成
印刷装置１００は、主電源１１１、ＨＤＤ用電源供給スイッチ部１１３、ＨＤＤ用副電源１１５、ＨＤＤ用昇圧ＤＣ−ＤＣコンバータ１１７、ハードディスク駆動部（ＨＤＤ）１１９、ヘッド用電源供給スイッチ部１２１、ヘッド用副電源１２３、ヘッド用昇圧ＤＣ−ＤＣコンバータ１２５、印刷ヘッド１２７、モーター駆動部１２９、モーター１３１、システム制御部１３３、Ａ／Ｄ変換部１３５、センサー１３７、コンピュータＩ／Ｆ部１３９、メモリカードＩ／Ｆ部１４１、画像処理部１４３、印刷ヘッド制御部１４５で構成する。
【００１１】
（ａ）主電源
主電源１１１は、商用電源のコンセントに電源ケーブル経由で接続される電源である。主電源１１１は、印刷装置内の各部に電力を分配する。例えばＨＤＤ電源より電源供給スイッチ部１１３を通じてハードディスク駆動部１１９に電力を供給する。また例えば、ヘッド電源より電源供給スイッチ部１２１を通じて印刷ヘッド１２７に電力を供給する。また例えば、ロジック電源より装置内の各部に電力を供給する。また例えば、モーター電源よりモーター駆動部１２９に電力を供給する。
【００１２】
ここでは、ＨＤＤ電源として、例えば５Ｖの定電圧下で１Ａの電流を供給できるものを使用する。この電力は、最大消費電力より小さく、ハードディスク駆動部１１９のアクセス動作に必要な電力量に応じて決定されている。すなわち、ハードディスク駆動部の起動時以外では、このＨＤＤ電源のみでハードディスク駆動部１１９を駆動できるように設計されている。
一般的に、２．５インチドライブのハードディスク駆動部はその内臓モータが５Ｖ電圧で駆動され、３．５インチドライブのハードディスク駆動部はその内臓モータが１２Ｖ電圧で駆動される。
【００１３】
また、ヘッド電源として、例えば９．４Ｖの定電圧下で１０．４５Ａの電流を供給できるものを使用する。この電力は、最大消費電力の約半分とし、印刷ヘッド１２７の通常印刷に必要な電力量に応じて決定されている。すなわち、ベタ塗り印刷や高速連続印刷以外では、このヘッド電源のみで印刷ヘッド１１９を駆動できるように設計されている。
【００１４】
（ｂ）ＨＤＤ用電源供給スイッチ部
ＨＤＤ用の電源供給スイッチ部１１３は、ＨＤＤ電源が供給する電源（主電源）とＨＤＤ用の副電源１１５が供給する電源（副電源）を選択的にハードディスク駆動部１１９に供給する回路部である。
なお、主電源から延びる電源供給線と副電源から延びる電源供給線とは、電源供給スイッチ部１１３内で１本の電源供給線に接続される。電源供給スイッチ部１１３は、この１本の電源供給線に対する副電源の電気的な接続を制御する。
【００１５】
ハードディスク駆動部１１９で消費される電力が主電源１１１から供給される電流で十分な場合、電源供給スイッチ部１１３は、主電源のみをハードディスク駆動部１１９に供給する。
これに対し、ハードディスク駆動部１１９で消費される電力が主電源１１１から供給される電流で十分でない場合、電源供給スイッチ部１１３は、主電源と副電源の両方をハードディスク駆動部１１９に供給する。この際、副電源からハードディスク駆動部１１９に対しては、主電源の不足分を補うように電流が流れる。
【００１６】
すなわち、ハードディスク駆動部１１９で必要な電流が定格１Ａ以下の場合、電源供給スイッチ部１１３は、主電源のみから電流を供給する。
一方、ハードディスク駆動部１１９で必要な電流が定格１Ａを超える場合、電源供給スイッチ部１１３は、主電源分の１Ａに副電源分の電流を加えた最大電流を供給する。
【００１７】
（ｃ）ＨＤＤ用副電源
ＨＤＤ用の副電源１１５は、ハードディスク駆動部１１９の内臓モータ起動時における電力不足を補うために用意される予備電源である。副電源１１５は、ファラッド単位の大容量を有する電気二重層コンデンサや二次電池で構成する。すなわち、充電式の電源である。この例の場合、副電源１１５の電力供給容量は、ＤＣ負荷換算で１Ａの電流を供給できるものを使用する。
【００１８】
図２に、副電源１１５を電気二重層コンデンサで実現する場合の回路構成を示す。電気二重層コンデンサは、二次電池と異なり化学反応を伴わない。このため、迅速な充放電が可能である。この特性により、昨今では、この種の大容量コンデンサが短時間のバックアップ用途にも使用されている。
【００１９】
副電源１１５は、ＨＤＤ電源（主電源）から分岐された電源供給線に接続されている。すなわち、副電源１１５は、主電源より供給される電力を大容量コンデンサに充電する構成を採る。
なお、主電源側から分岐した電源供給線には、電流制限用の抵抗Ｒ１１と逆流防止用のダイオードＤ１１が直列に接続される。抵抗Ｒ１１は、過剰な電流が流入するのを防止する抵抗である。また、ダイオードＤ１１は、大容量コンデンサの電流が主電源方向に逆流しないように配置される。
【００２０】
この例の場合、大容量コンデンサは、４個のコンデンサＣと４個の充放電バランス回路Ｂで構成される。ここで、４個のコンデンサＣは２個づつ直列に接続され、２組の直列回路に分配される。なお、１つのコンデンサＣに対しては、１つの充放電バランス回路Ｂが並列に接続される。充放電バランス回路Ｂは、充放電時に過度の電圧がコンデンサＣに加わらないように作用する。
【００２１】
この他、副電源１１５は、ディスチャージ回路Ｒ１２を有する。ディスチャージ回路Ｒ１２はシステム制御部１３３に接続され、エラー検出時に副電源１１５の電荷を放電するのに用いられる。
【００２２】
（ｄ）ＨＤＤ用昇圧ＤＣ−ＤＣコンバータ
ＨＤＤ用の昇圧ＤＣ−ＤＣコンバータ１１７は、副電源１１５の電源供給線に接続されており、放電により電圧低下した大容量コンデンサの電圧を昇圧して出力するスイッチング電源である。昇圧後の電圧は、主電源と同じく電源供給スイッチ部１１３に供給される。なお、副電源１１５が二次電池の場合、昇圧ＤＣ−ＤＣコンバータは不要である。以下では、副電源１１５が大容量コンデンサであるものとして説明する。
【００２３】
（ｅ）ハードディスク駆動部
ハードディスク駆動部１１９は、画像データファイルを格納する大容量記憶領域である。なお必要に応じ、ハードディスク駆動部１１９は、アプリケーションプログラムも記憶する。
図２のＨＤＤ用電源供給スイッチ部１１３等の説明を追加してください。
次に図３の説明に移る旨の説明を追加してください。
【００２４】
（ｆ）ヘッド用電源供給スイッチ部
ヘッド用の電源供給スイッチ部１２１は、ヘッド電源が供給する電源（主電源）とヘッド用の副電源１２３が供給する電源（副電源）を選択的に印刷ヘッド１２７に供給する回路部である。
なお、主電源から延びる電源供給線と副電源から延びる電源供給線とは、電源供給スイッチ部１２１内で１本の電源供給線に接続される。電源供給スイッチ部１２１は、この１本の電源供給線に対する副電源の電気的な接続を制御する。
【００２５】
印刷ヘッド１２７で消費される電力が主電源１１１から供給される電流で十分な場合、電源供給スイッチ部１２１は、主電源のみを印刷ヘッド１２７に供給する。
これに対し、印刷ヘッド１２７で消費される電力が主電源１１１から供給される電流で十分でない場合、電源供給スイッチ部１２１は、主電源と副電源の両方を印刷ヘッド１２７に供給する。この際、副電源から印刷ヘッド１２７に対しては、主電源の不足分を補うように電流が流れる。
【００２６】
すなわち、印刷ヘッド１２７で必要な電流が定格１０．４５Ａ以下の場合、電源供給スイッチ部１２１は、主電源のみから電流を供給する。
一方、印刷ヘッド１２７で必要な電流が定格１０．４５Ａを超える場合、電源供給スイッチ部１２１は、主電源分の１０．４５Ａに加え、副電源分の電流を加えた最大２０．９Ａの電流を供給する。
【００２７】
（ｇ）ヘッド用副電源
ヘッド用の副電源１２３は、印刷ヘッド１２７で消費される電力が通常時以上になる場合の電力不足を補うために用意される予備電源である。副電源１２３も、ファラッド単位の大容量を有する電気二重層コンデンサや二次電池で構成する。すなわち、充電式の電源である。この例の場合、副電源１２３の電力供給容量は、ＤＣ負荷換算で１０．４５Ａの電流を供給できるものを使用する。
【００２８】
図３に、副電源１２３を電気二重層コンデンサで実現する場合の回路構成を示す。
すでに図３の説明に移っているので、説明の流れに従ってください。
副電源１２３は、ヘッド電源（主電源）から分岐された電源供給線に接続されている。すなわち、副電源１２３は、主電源より供給される電力を大容量コンデンサに充電する構成を採る。
【００２９】
なお、主電源側から分岐した電源供給線には、電流制限用の抵抗Ｒ２１と逆流防止用のダイオードＤ２１が直列に接続される。抵抗Ｒ２１は、過剰な電流が流入するのを防止する抵抗である。また、ダイオードＤ２１は、大容量コンデンサの電流が主電源方向に逆流しないように配置される。
【００３０】
この大容量コンデンサは、１２個のコンデンサＣと１２個の充放電バランス回路Ｂで構成されるものとする。ここで、１２個のコンデンサＣは４個づつ直列に接続され、３組の直列回路に分配される。なお、１つのコンデンサＣに対しては、１つの充放電バランス回路Ｂが並列に接続される。充放電バランス回路Ｂは、充放電時に過度の電圧がコンデンサＣに加わらないように作用する。
【００３１】
この副電源１２３もディスチャージ回路Ｒ２２を有している。ディスチャージ回路Ｒ２２はシステム制御部１３３に接続され、主電源のオフ時や印刷中止要因となるエラー状態の検出時に副電源１２３の電荷を放電するのに用いられる。
【００３２】
（ｈ）ヘッド用昇圧ＤＣ−ＤＣコンバータ
ヘッド用の昇圧ＤＣ−ＤＣコンバータ１２５は、副電源１２３の電源供給線に接続されており、放電により電圧低下した大容量コンデンサの電圧を昇圧して出力するスイッチング電源である。昇圧後の電圧は、主電源と同じく電源供給スイッチ部１２１に供給される。なお、副電源１２５が二次電池の場合、昇圧ＤＣ−ＤＣコンバータは不要である。以下では、副電源１２５が大容量コンデンサであるものとして説明する。
【００３３】
（ｉ）印刷ヘッド
印刷ヘッド１２７は、微細なインク滴をノズルから被印刷媒体に吐出する方式のヘッド構造を有する。印刷ヘッド１２７で採用するインク滴の吐出方式は任意である。例えば、ヒーターの加熱で発生した気泡の膨張力でインク滴を吐出する方式を用いても良いし、圧電素子の形状変化に伴う圧力でインク滴を吐出する方式を用いても良い。
また、印刷ヘッド１２７は、シリアルヘッドでもラインヘッドでも良い。
【００３４】
因みに、シリアルヘッドは、印刷ヘッドを主走査方向に往復走査させる動作と印刷ヘッド又は被印刷媒体を副走査方向に移動させる動作を組み合わせることで印刷像を被印刷媒体上に形成する印刷ヘッドをいう。また、ラインヘッドは、印刷幅よりも長く配列された一列のノズル群を有し、ラインヘッド又は被印刷媒体を副走査方向に移動させることで印刷像を被印刷媒体上に形成する印刷ヘッドをいう。
図３に、印刷ヘッド１２７の等価回路を示す。印刷ヘッド１２７は、ヘッドチップ１２７１に対して平滑用のコンデンサ１２７３を並列に接続した回路と電気的には等価である。
【００３５】
（ｊ）モーター駆動部
モーター駆動部１２９は、印刷装置内に搭載されたモーター１３１の駆動動作を制御するデバイスである。なお、モーター１３１の駆動内容や駆動タイミング等は、システム制御部１３３を通じて制御される。
【００３６】
（ｋ）システム制御部
システム制御部１３３は、システム全体の動作を制御する処理ユニットである。システム制御部１３３は、コンピュータで構成される。すなわち、ＣＰＵ、ＲＯＭ、ＲＡＭを主要な構成要素とする。ＲＯＭには、処理プログラムが格納されている。ＣＰＵは、ＲＯＭから読み出した処理プログラムを実行し、システム全体の動作を制御する。ＲＡＭは、演算処理の作業領域である。
【００３７】
すなわち、システム制御部１３３は、ホストコンピュータ２００及びメモリカード３００から入力される画像データ、処理コマンド、ステータス情報等に基づいて印刷処理を実行する。
なお、ホストコンピュータ２００と印刷装置１００との接続は、コンピュータインターフェース部１３９を通じて実行される。
【００３８】
コンピュータインターフェース部１３９は、有線通信用のインターフェースや無線通信用のインターフェースを使用する。例えばＵＳＢ、イーサーネット（登録商標）、セントロニクス、ＩｒＤＡ、ブルートゥース、ＩＥＥＥ８０２．１１ａ／ｂ／ｇに準拠したインターフェースを使用する。
【００３９】
また、メモリカード３００と印刷装置１００の接続は、メモリカードインターフェース部１４１を通じて実行される。メモリカードインターフェース部１４１には、各種のカード型記憶媒体に応じたインターフェースが使用される。
これらインターフェースとシステム制御部１３３の接続は、制御バス経由で実行される。
【００４０】
（ｌ）Ａ／Ｄ変換部
Ａ／Ｄ変換部１３５は、大容量コンデンサの出力電圧をシステム制御部１３３で監視できるようにアナログ電圧値をデジタル電圧値に変換する回路である。
（ｍ）センサー
センサー１３７は、印刷装置内に配置された各種の温度センサー、印刷エラーセンサー、インク残量センサーである。これらの検出値は、システム制御部１３３に供給される。
【００４１】
（ｎ）画像処理部
画像処理部１４３は、システム制御部１３３を通じて供給される画像データに各種の信号処理及び出力特性変換を加える処理デバイスである。
図４に、画像処理部１４３の構成例を示す。画像処理部１４３は、色分解処理部１４３１、黒摘出下色除去部１４３３、色及び階調修正部１４３５、シャープネス修正部１４３７、多値化ディザ処理部１４３９で構成される。
【００４２】
色分解処理部１４３１は、読み込まれた画像データのＲＧＢ信号をインク色に対応したＣＭＹ信号に変換する処理デバイスである。
黒摘出下色除去部１４３３は、ＣＭＹ信号から黒（Ｋ）成分を抽出してＣＭＹＫ信号を生成する処理デバイスである。
色及び階調修正部１４３５は、必要に応じてＣＭＹＫ信号に色調整と階調修正処理を実行する処理デバイスである。
【００４３】
シャープネス修正部１４３７は、色調整等を経たＣＭＹＫ信号に対して画像の鮮鋭化処理やノイズ除去処理を実行する処理デバイスである。
多値化ディザ処理部１４３９は、鮮鋭化処理等を経たＣＭＹＫ信号に対して多値階調誤差拡散法等の多階調ディザ処理を実行し、印刷データ（ドットパターンデータ）を生成する処理デバイスである。
【００４４】
（ｏ）印刷ヘッド制御部
印刷ヘッド制御部１４５は、印刷データをヘッド駆動信号に変換し、印刷ヘッド１２７の吐出動作を制御する処理デバイスである。この印刷ヘッド制御部１４５の制御により、印刷ヘッド１２７を構成する個々のノズルは１発又は複数発のインク滴を被印刷媒体に向けて吐出する。
【００４５】
（Ｂ）電源供給スイッチ部の構成例及び制御例
ここでは、電源供給スイッチ部１１３及び１２１の具体的な構成例を説明する。
【００４６】
（Ｂ−１）ＨＤＤ用電源供給スイッチ部
（ａ）論理回路例
前述したように、ＨＤＤ用の電源供給スイッチ部１１３は、待機時やアクセス時には、主電源の電力のみをハードディスク駆動部１１９に供給し、ハードディスク駆動部の起動時には、電力の不足分を副電源からハードディスク駆動部１１９に供給する動作を実行する。
【００４７】
この電源供給スイッチ部１１３による電力（供給電流）の切り替え動作は、論理回路に基づく自律的な動作として実現される。
図５に、電源供給スイッチ部１１３を論理回路として実現する場合の回路構成例を示す。
この場合、電源供給スイッチ部１１３は、主電源から延びる電源供給線上のダイオード素子Ｄ３１と、副電源（昇圧後）から延びる電源供給線上のダイオード素子Ｄ３２とで構成される。
【００４８】
各ダイオード素子Ｄ３１及びＤ３２はアノード側で電源側の電源供給線に接続し、カソード側でハードディスク駆動部側の電源供給線に接続する。
ダイオード素子Ｄ３１及びＤ３２は、アノードとカソード間の電位差によりオン又はオフ動作する。すなわち、ダイオード素子Ｄ３１及びＤ３２は、スイッチとして機能する。もっとも、ダイオードＤ３１は、逆電流を防止するような事態が発生する場合を除いて常にオン状態で動作する。
【００４９】
電源供給スイッチ部１３３は、アクセス時や待機時には主電源から優先的に電流を供給し、ハードディスク駆動部の起動時に限り、副電源側から電流の不足分を補う。このため、副電源（昇圧後）の電圧は主電源よりもわずかながら低く設定されている。ただし、副電源（昇圧後）の電圧は、ダイオード素子Ｄ３２のオン状態への切り替わり時点において印刷品質に支障が出ないように設定する。
図５の電圧設定値を変更しますので、図５に従い以下の電圧値を変更してください。
例えば主電源が５Ｖの場合、副電源の電圧は４．８Ｖ程度に設定する。すなわち、０．２Ｖのオフセット電圧を用意する。
【００５０】
図５（Ａ）に、アクセス時や待機時の電流供給経路を示す。この場合、ハードディスク駆動部１１９で消費される電力は主電源から供給される電力で十分足りている。従って、ハードディスク駆動部１１９につながる電源供給線の電位は主電源側のダイオード素子Ｄ３１のアノード電位で決まる。すなわち、主電源の電位から降下電圧（図５では、０．３Ｖとする。）分だけ低い電位（４．７Ｖ）になる。
【００５１】
このとき、副電源側のダイオード素子Ｄ３２のアノード電位とカソード電位との差は０．１Ｖである。この電位差は、ダイオード素子Ｄ３２をオン動作させるのに不十分である。従って、印刷ヘッド１１９には、主電源だけが優先的に電力を供給することになる。なお、この間も副電源（大容量コンデンサ）は主電源を通じて充電される。
【００５２】
一方、ハードディスク駆動部の起動時には、ハードディスク駆動部１１９に非常に多くの電力を必要とする。
この場合、ハードディスク駆動部１１９側に接続された電源供給線の電位が低下する現象が認められる。これは、ハードディスク駆動部１１９に大量の電流が流れ込むことによる負荷容量の低下が原因である。例えば、ダイオード素子Ｄ３１及びＤ３２のカソード電位が４．５Ｖまで低下する。この場合、副電源側のダイオード素子Ｄ３２のアノードとカソード間には０．３Ｖの電位差が発生し、ダイオード素子Ｄ３２が自動的にオン状態に変化する。
【００５３】
図５（Ｂ）に、この場合の電流供給経路を示す。この場合、図５（Ｂ）に示すように、主電源による電力供給不足を補うように副電源からハードディスク駆動部１１９に向けて電流の供給が開始される。この結果、ハードディスク駆動部１１９には、最大消費電力分の電力が供給される。
【００５４】
なお、ハードディスク駆動部１１９がアクセス状態や待機状態に移行する等してカソード電位が上昇すれば、副電源側のダイオード素子Ｄ３２は自動的にオフ動作する。すなわち、副電源は、ハードディスク駆動部１１９に電力を供給しない状態に戻る。
なお、ここでのダイオード素子は、スイッチング動作を説明するためのもので、等価的にダイオード回路として機能すればトランジスタ回路その他の論理回路として実現することが可能である。
【００５５】
以上のように、電源供給スイッチ部１１３を論理回路として実現すれば、簡易な回路構成でありながら副電源の供給と供給停止を自動的に切り替えることができる。
また、この機能を用いれば、主電源の電力を他のデバイスにより多く分配することが可能になり、システム全体の立ち上がり時間を短縮することが可能になる。
【００５６】
（ｂ）スイッチの開閉制御例
図６に、電源供給スイッチ部１１３をスイッチの開閉制御により実現する場合の機能回路構成を示す。
この場合、少なくとも副電源とハードディスクとを接続する電源供給線上に外部からの制御信号で開閉動作するスイッチＳＷ１１を配置する。スイッチＳＷ１１は、例えばトランジスタで構成する。
【００５７】
なお、主電源とハードディスクを接続する電源供給線上にはダイオード素子Ｄ３１を接続する。ダイオード素子Ｄ３１は逆流防止用である。
図６の場合、スイッチＳＷ１１の開閉制御による供給電力の制御機能は、システム制御部１３３の機能の一部として実現する。この機能をスイッチ制御部１３３１１と表す。スイッチ制御部１３３１１は、現在のステータスがハードディスク駆動部の起動検出であるかを判定する処理と、判定結果に応じてスイッチＳＷ１１の開閉を制御する処理とを実行する。
【００５８】
このように電源供給スイッチ部１１３をスイッチＳＷ１で構成し、その開閉動作をシステム制御部（スイッチ制御部１３３１１）側から制御すれば、副電源の供給と供給停止をステータス情報を用いて細かく制御することが可能になる。
この場合も、主電源の電力を他のデバイスにより多く分配できるため、システム全体の立ち上がり時間を短縮することが可能になる。
【００５９】
（Ｂ−２）ヘッド用電源供給スイッチ部
一方、ヘッド用の電源供給スイッチ部１２１は、通常印刷時には主電源の電力のみを印刷ヘッド１２７に供給し、ベタ塗り印刷や長時間の連続印刷時には、電力が不足する間だけ電力の不足分を副電源から印刷ヘッド１２７に供給する動作を実行する。
この電源供給スイッチ部１２１による電力（供給電流）の切り替え動作は、論理回路に基づく自律的な動作として実現する方法とシステム制御部１３３によるスイッチの開閉制御を通じて実現する方法が考えられる。
【００６０】
（ａ）論理回路例
図７に、電源供給スイッチ部１２１を論理回路として実現する場合の回路構成例を示す。
この場合、電源供給スイッチ部１２１は、主電源から延びる電源供給線上のダイオード素子Ｄ４１と、副電源（昇圧後）から延びる電源供給線上のダイオード素子Ｄ４２とで構成される。
【００６１】
各ダイオード素子Ｄ４１及びＤ４２はアノード側で電源側の電源供給線に接続し、カソード側で印刷ヘッド側の電源供給線に接続する。
ダイオード素子Ｄ４１及びＤ４２は、アノードとカソード間の電位差によりオン又はオフ動作する。すなわち、ダイオード素子Ｄ４１及びＤ４２は、スイッチとして機能する。もっとも、ダイオードＤ４１は、逆電流を防止するような事態が発生する場合を除いて常にオン状態で動作する。
【００６２】
電源供給スイッチ部１２１は、通常印刷時には主電源から優先的に電流を供給し、印刷ヘッドで大量の電力が消費される場合に限り、副電源側から電流の不足分を補う。このため、副電源（昇圧後）の電圧は主電源よりもわずかながら低く設定されている。ただし、副電源（昇圧後）の電圧は、ダイオード素子Ｄ４２のオン状態への切り替わり時点において印刷品質に支障が出ないように設定する。
例えば主電源が９．９Ｖの場合、副電源の電圧は９．７Ｖ程度に設定する。すなわち、０．２Ｖのオフセット電圧を用意する。
【００６３】
図７（Ａ）に、通常印刷時の電流供給経路を示す。この場合、印刷ヘッドで消費される電力は主電源から供給される電力で十分足りている。従って、印刷ヘッドにつながる電源供給線の電位は主電源側のダイオード素子Ｄ４１のアノード電位で決まる。すなわち、主電源の電位から降下電圧（図７では、０．３Ｖとする。）分だけ低い電位（９．６Ｖ）になる。
【００６４】
このとき、副電源側のダイオード素子Ｄ４２のアノード電位とカソード電位との差は０．１Ｖである。この電位差は、ダイオード素子Ｄ４２をオン動作させるのに不十分である。従って、印刷ヘッド１２７には、主電源だけが優先的に電力を供給することになる。なお、この間も副電源（大容量コンデンサ）は主電源を通じて充電される。
【００６５】
ところで、全面ベタ塗り印刷やこれに近い画像の印刷が実行される場合がある。この場合、印刷ヘッドは、多数のインク滴の吐出動作に非常に多くの電力を必要とする。また、高速印刷が連続する場合も、多数のインク滴の吐出により多くのエネルギーが必要な状態になる。すなわち、単位時間あたりのインク滴の吐出数が多くなることで多くの電力が必要になる。
【００６６】
これに伴い、印刷ヘッド側に接続された電源供給線の電位が低下する現象が認められる。これは、印刷ヘッドのインク滴の吐出数が増加することにより、印刷ヘッドのインピーダンスの低下が原因である。例えば、ダイオード素子Ｄ４１及びＤ４２のカソード電位が９．４Ｖまで低下する。この場合、副電源側のダイオード素子Ｄ４２のアノードとカソード間には０．３Ｖの電位差が発生し、ダイオード素子Ｄ４２が自動的にオン状態に変化する。
【００６７】
図７（Ｂ）に、この場合の電流供給経路を示す。この場合、図７（Ｂ）に示すように、主電源による電力供給不足を補うように副電源から印刷ヘッドに向けて電流の供給が開始される。この結果、印刷ヘッド１２７は、印刷に必要な電力を継続的に確保することができる。原理的には、副電源から不足分の電力を供給できる限り、現在の印刷動作をそのまま継続することができる。
【００６８】
勿論、印刷ヘッドの印刷状態が通常印刷に戻る等して印刷ヘッド側に接続される電源供給線の電位が通常印刷時の状態に戻れば、副電源側のダイオード素子Ｄ４２は自動的にオフ動作する。すなわち、副電源は、印刷ヘッドに電力を供給しない状態に戻る。
なお、ここでのダイオード素子は、スイッチング動作を説明するためのもので、等価的にダイオード回路として機能すればトランジスタ回路その他の論理回路として実現することが可能である。
【００６９】
また、ステータス情報等と組み合わせ、特定の印刷内容や印刷態様が実行されている場合に限り、前述した電源の供給動作が実行されるようにもできる。例えばベタ塗り印刷や連続印刷を動作条件とするスイッチとダイオード素子Ｄ４２を組み合わせることもできる。
【００７０】
以上のように、電源供給スイッチ部１２１を論理回路として実現すれば、簡易な回路構成でありながら副電源の供給と供給停止を自動的に切り替えることができる。
また、この回路構成では、印刷ヘッドで消費される実際の負荷状態に応じ、副電源の供給又は供給停止を切り替えることができる。
【００７１】
すなわち、印刷内容や印刷態様に応じて時々刻々と変化する負荷変動に対しても実時間で即座に追従できる。例えばベタ塗り印刷や長時間にわたる連続印刷では、インク滴の吐出量を確保するために大きな電力が必要であるが、電力不足の原因によらず、不足分の電力を実時間で補充することが可能になる。
【００７２】
（ｂ）スイッチの開閉制御例
図８に、電源供給スイッチ部１２１をスイッチの開閉制御により実現する場合の機能回路構成を示す。
この場合、少なくとも副電源と印刷ヘッドとを接続する電源供給線上に外部からの制御信号で開閉動作するスイッチＳＷ２１を配置する。スイッチＳＷ２１は、例えばトランジスタで構成する。
【００７３】
なお、主電源と印刷ヘッドを接続する電源供給線上にはダイオード素子Ｄ４１を接続する。ダイオード素子Ｄ４１は逆流防止用である。
図８の場合、スイッチＳＷ２１の開閉制御による供給電力の制御機能は、システム制御部１３３の機能の一部として実現する。この機能をスイッチ制御部１３３１３と表す。スイッチ制御部１３３１３は、処理対象である画像データの印刷に必要な電力を逐次算出する処理と、算出された電力が主電源より供給される電力を超えるか否かを判定する処理と、判定結果に応じてスイッチＳＷ１の開閉を制御する処理とを実行する。
【００７４】
ここで、電力の算出は、印刷開始前の画像データについて１頁単位で電力を算出する方法、インク滴の吐出タイミングを単位として電力を算出する方法、１つの印刷ジョブを単位として電力を算出する方法等がある。このように、電力の算出単位は任意である。
なお、印刷ヘッドで消費される電力は、印刷内容（画像データ）だけでなく環境温度や印刷ヘッドの温度、印刷済み枚数、総印刷枚数等も影響する。従って、予測精度を高める上では、温度情報や印刷済み枚数等を参照することが望ましい。
【００７５】
スイッチ制御部１３３１３は、このように算出された電力と対応する主電源の供給電力とを比較する。ここで、算出された電力が主電源の供給電力を超える場合、スイッチ制御部１３３１３はスイッチＳＷ２１を閉制御する。一方、算出された電力が主電源の供給電力を超えない場合、スイッチ制御部１３３１３はスイッチＳＷ２１を開制御する。
【００７６】
このように電源供給スイッチ部１２１をスイッチＳＷ２１で構成し、その開閉動作をシステム制御部（スイッチ制御部１３３１３）側から制御すれば、副電源の供給と供給停止をステータス情報を用いて細かく制御することが可能になる。
勿論、この制御手法の場合も、電力不足の原因によらず、不足分の電力を実時間で補充することが可能になる。
【００７７】
（Ｃ）システム制御部（印刷開始タイミング制御装置）の構成例及び制御例
ここでは、ヘッド用の副電源の搭載を前提に印刷装置の使い勝手を更に向上させる制御技術の一つを説明する。
ヘッド用の副電源による不足電力の供給後は、当然ながら副電源の再充電が必要になる。この際、常に充電が完了した後に次頁の印刷が開始されれば良いが、実際には副電源の充電が完了しない段階で次頁の印刷が開始される場合がある。
【００７８】
この場合でも、次頁の印刷で必要になる電力の補充量が、副電源の残存充電量の範囲であれば何の問題もない。しかし、次頁の印刷内容は任意であるので、印刷内容や印刷態様によっては、副電源からの電力補充が不足する可能性もゼロではない。
そこで、システム制御部１３３の機能の一部として、印刷開始タイミングの制御機能を実現する。この機能を、印刷開始タイミング制御機能と呼ぶ。
【００７９】
図９に、印刷開始タイミング制御機能を実現する機能構成例を示す。この制御機能は、充電状態測定部１３３３と印刷開始制御部１３３５とで構成する。
充電状態測定部１３３３は、少なくとも次頁の印刷が開始される前に副電源の充電量を測定する処理デバイスである。ここでの次頁は、１つの印刷ジョブ内に複数頁が含まれる場合に限らず、単頁の印刷が複数連続する場合も含む意味で使用する。
【００８０】
副電源の充電量（残容量）の測定には、副電源がコンデンサの場合と二次電池の場合とで別々の手法を使用する。
副電源が大容量コンデンサの場合、副電源の貯蔵エネルギー（充電量）Ｅと出力電圧との間には図１０に示す関係が成立する。この場合、貯蔵エネルギー（充電量）Ｅは、ＣＶ2 ／２で算出することができる。
従って、副電源が大容量コンデンサの場合には、図１１に示すように副電源の出力電圧ＶをＡ／Ｄ変換部１３５でＡ／Ｄ変換し、その値を充電状態測定部１３３３に与える手法を採用する。
【００８１】
一方、副電源が二次電池の場合、図１２に示すように、副電源の貯蔵エネルギー（充電量）Ｅと出力電圧とは図１０に示す関係を満たさない。一般的に、二次電池の貯蔵エネルギーは電池内部のインピーダンス変動に関係づけられる。すなわち、貯蔵エネルギーが少なくなれば電池内部のインピーダンスが増加する。そこで、図１３に示すような検出回路を使用して間接的に貯蔵エネルギー（充電量）Ｅを求める手法を採用する。
すなわち、副電源の電源供給線路と接地線ＧＮＤの間に、検出用スイッチＳＷ３１とダミー抵抗Ｒ３１、Ｒ３２で形成した直列回路を挿入し、検出用スイッチＳＷ３１が閉じた場合にダミー抵抗Ｒ３１、Ｒ３２に流れる電流により生じる電圧値をＡ／Ｄ変換部１３５で検出する手法を採用する。
【００８２】
なお、検出される電圧値はダミー抵抗Ｒ３１とＲ３２の抵抗比で分圧されている。従って、充電状態測定部１３３３では、電圧降下分を考慮して副電源の貯蔵エネルギー（充電量）Ｅを推定することになる。
ここで、検出用スイッチＳＷ３１の開閉は、充電状態測定部１３３３が制御する。
【００８３】
充電状態測定部１３３３は、このような手法により、随時又は次頁の印刷前に副電源の貯蔵エネルギー（充電量）Ｅを測定し、測定値を印刷開始制御部１３３５に与える。
印刷開始制御部１３３５は、測定された充電量が基準値（満充電量）に満たないとき、印刷ヘッド１２７による次頁の印刷開始を停止し、測定された充電量が基準値（満充電量）を満たすとき、印刷ヘッド１２７による次頁の印刷開始を許可する。
なお、印刷開始制御部１３３５が印刷開始を停止すると、その間を利用して副電源の充電が進むので容量一杯まで電力を蓄えることができる。例えば１０．４５Ａの出力が可能な状態まで電力を蓄積することができる。
【００８４】
このような印刷開始タイミングの制御機能をシステム制御部１３３に搭載すれば、次頁の印刷時に主電源と副電源の最大容量を必要とするような負荷が印刷ヘッドに印加される場合でも、必要な電力の供給を保証することができる。よって、印刷開始後に動作が中断又は印刷画質の劣化のような事態を無くすことができる。
【００８５】
なお、ここでは印刷開始を許可するか否かの判定基準として満充電時を用いたが、主電源と副電源で供給できる最大電力に余裕がある場合には、満充電よりも小さい値を判定基準に用いることもできる。この場合は、印刷開始のタイミングを実用上問題のない範囲で最短化できる。
【００８６】
（Ｄ）システム制御部（印刷実行タイミング制御装置）の構成例及び制御例
ここでも、ヘッド用の副電源の搭載を前提に印刷装置の使い勝手を更に向上させる制御技術の一つを説明する。
直前の説明では、次頁の印刷開始後に電力不足が発生しないように、次頁の印刷開始前に副電源の充電状態を確認する場合について説明した。
ただし、次頁の印刷開始前に副電源の充電状態を確認する方法は、以下の点を注意する必要がある。
【００８７】
注意点の１つは、副電源の充電状態に伴う印刷可否の決定は、次頁の給紙動作の実行前に行うことが望ましい点である。因みに、次頁の給紙動作を開始した後に印刷の可否を決定する場合には、給紙の完了から描画開始までの待ち時間が変動するのを避け得なくなる。実際、給紙が完了した状態で印刷開始が停止され、印刷待ち時間が長くなると、印刷用紙にローラの接触痕が残る場合がある。従って、印刷品質を一定に保つ観点からは、副電源の充電状態に伴う印刷可否の決定は、次頁の給紙動作の実行前に行うことが望ましいことになる。
【００８８】
もう一つの注意点は、副電源の充電状態に伴う印刷可否の決定は、次頁の印刷に伴う演算を開始する前に行われることが望ましい点である。次頁の印刷に伴う演算が全て終了した後に描画を開始する印刷シーケンスの場合、演算開始後に印刷開始を停止する決定があると、演算終了後も副電源の充電が完了されるまでの間、演算結果を保持した状態まま待機しなければならない。ただし、この時間は、演算処理上は、無駄な待機時間となる。従って、印刷装置内の演算リソースを有効活用する観点からは、このような待ち時間が発生しないことが望ましい。
【００８９】
そこで、システム制御部１３３の機能の一部として、印刷終了から次の印刷開始までの待ち時間（印刷待機時間）を副電源の充電状態に応じて事前に制御する機能を提案する。この機能を、印刷待機時間制御機能と呼ぶ。
【００９０】
図１４に、印刷待機時間制御機能を実現する機能構成例を示す。この制御機能は、充電状態測定部１３３７と待機時間制御部１３３９とで構成する。
充電状態測定部１３３７は、少なくとも各頁の印刷が終了した時点で（印刷終了後に）副電源の充電量を測定する処理デバイスである。副電源の構成に応じて測定方法が異なる点は、印刷開始前に副電源の充電量を測定する充電状態測定部１３３３（図９）と同じである。
【００９１】
待機時間制御部１３３９は、測定された充電量に応じ、次頁の印刷開始までの印刷待機時間を制御する処理デバイスである。
例えば測定直前の印刷が主電源のみで実行された場合、待機時間制御部１３３９は、給排紙に要する時間と最大印刷電流への立ち上がりや立ち下がりに要する時間の総和を印刷待機時間とする。
【００９２】
また例えば測定直前の印刷に副電源からの電力供給があった場合、待機時間制御部１３３９は、給排紙に要する時間と、最大印刷電流への立ち上がりや立ち下がりに要する時間との総和と充電完了に要する時間との大きい方を印刷待機時間とする。
システム制御部１３３は、この印刷待機時間に応じて次頁の印刷準備を進行させる。この結果、印刷用紙の給紙タイミングも最適化され、給紙の完了から実際の描画が開始されるまでの時間を一定にできる。すなわち、印刷品質を一定に保つことができる。
【００９３】
また、次頁の印刷に伴う演算が全て終了した後に描画を開始する印刷シーケンスの場合にも、演算処理を次頁の印刷開始タイミングに合わせることができるため、無用な待機時間の発生を無くすことができる。
【００９４】
（Ｅ）容量比の最適化
ここでは、ヘッド用の主電源の電源供給容量と副電源の電源供給容量の最適化技術について説明する。
直前の２つの説明では、いずれも頁間の印刷待機時間が副電源の充電態様（充電無しからフル充電まで）に応じて変動することが前提になる。このため、印刷待機時間が変動すると、単位時間当たりの印刷枚数も変動してしまう。
【００９５】
例えば、商用電源に接続した主電源の電力供給容量と副電源の電力供給容量との関係において、主電源の容量の比率を小さくする一方で副電源の容量の比率を大きくすると、副電源から電力が供給される機会が多くなる。この場合、前述したように、単位時間当たりの印刷枚数が変動し易くなる。
例えば全面ベタ塗り印刷を連続する場合では、どうしても副電源の充電に要する時間が長くなり、結果的に１分当たりの印刷枚数が低下してしまう。
【００９６】
この問題を解決するには、主電源の電源供給容量を多くし、副電源の電源供給容量を少なくする必要がある。しかし、主電源の電源供給容量を増やすことは、本明細書の主題である主電源の小容量化に反してしまう。
そこで、副電源の充電時間が、印刷動作の実行に不可欠な時間（給排紙と演算に要する時間）内に吸収されるように、主電源と副電源の容量比率を最適化する方法を提案する。
【００９７】
すなわち、充電の有無にかかわらず印刷待機時間が常に一定になるように、主電源と副電源の電源供給容量を設定する方法を提案する。
図１５に、主電源と副電源の容量比率と副電源の充電時間との間に確認された実験結果を示す。
図１５は、９．９Ｖの一定電圧下で最大負荷が印加された場合（２０．９０Ａの印刷電流が流れた場合）に、主電源と副電源との容量比率（負担比率）の違いにより充電時間がどのように推移するかを示す図である。
【００９８】
ここで、印刷実行時に最低限必要な時間が２秒であるとすると、主電源の容量が１４．９３Ａ以上であって、副電源の容量が５．９７Ａ以下であることが、最大負荷の印加時にも副電源の充電時間を２秒以内に吸収させるための境界条件になる。
従って、この形態例で前提とする駆動条件に関する限り、容量１４．９３Ａ以上の主電源と、容量５．９７Ａ以下の副電源を印刷装置に搭載することで、印刷待ち時間を常に一定に保つことができる。
【００９９】
すなわち、副電源の電源供給容量が主電源の電源供給容量の２．５分の１以下であれば、印刷内容や印刷態様によらず、印刷待ち時間を常に一定に保つことができる。還元すると、印刷内容等によらず、規定の印刷速度を保つことが可能になる。
勿論、これらの数値は一例であり、印加電圧、最大印刷電流、許容充電時間等が異なれば、主電源と副電源の容量比率は異なるものになる。
また、前述したように主電源が大きくなりすぎると、主電源の小容量化に反することになるので主電源の電源供給容量の最大値は実装上の条件を考慮して設定する必要がある。
【０１００】
（Ｆ）他の形態例
（ａ）前述した形態例では、ハードディスク駆動部１１９の電力補充用に充電式の副電源１１５を搭載するインクジェット式の印刷装置について説明した。
しかし、この装置構成は、インクジェット式の印刷装置以外にも応用できる。
例えば、画像定着機を使用する印刷装置にも適用できる。ここで、画像定着機とは、加熱融解されたトナーを圧力を掛けて用紙上に定着するデバイスをいう。
【０１０１】
図１６に、この種の印刷装置４００のシステム構成の概要を示す。印刷装置４００は、主電源４０１、充電式の副電源４０３、プロセッサ４０５、ハードディスク駆動部４０７、画像定着機４０９、画像処理部４１１を主要なデバイスとする。
また例えば、画像読取機を搭載する複合型の印刷装置にも適用できる。
図１７に、この種の複合型印刷装置５００のシステム構成の概要を示す。複合型印刷装置５００は、主電源５０１、充電式の副電源５０３、プロセッサ５０５、ハードディスク駆動部５０７、画像読取機５０９、画像処理部５１１を主要なデバイスとする。
【０１０２】
また例えば、コンピュータにも適用できる。
図１８に、コンピュータ６００のシステム構成の概要を示す。コンピュータ６００は、主電源６０１、充電式の副電源６０３、プロセッサ６０５、ハードディスク駆動部６０７、入出力インターフェース６０９を主要なデバイスとする。
また例えば、表示装置又は投影装置にも適用できる。
図１９に、表示装置又は投影装置７００のシステム構成の概要を示す。表示装置又は投影装置７００は、主電源７０１、充電式の副電源７０３、プロセッサ７０５、ハードディスク駆動部７０７、表示／投影デバイス７０９、入出力インターフェース７１１を主要なデバイスとする。
【０１０３】
また例えば、ビデオサーバーにも適用できる。
図２０に、ビデオサーバー８００のシステム構成の概要を示す。ビデオサーバー８００は、主電源８０１、充電式の副電源８０３、プロセッサ８０５、ハードディスク駆動部８０７、入出力インターフェース８０９を主要なデバイスとする。
また例えば、ゲーム機にも適用できる。
図２１に、ゲーム機９００のシステム構成の概要を示す。ゲーム機９００は、主電源９０１、充電式の副電源９０３、プロセッサ９０５、ハードディスク駆動部９０７、入出力インターフェース９０９を主要なデバイスとする。
【０１０４】
（ｂ）前述した技術のうち、副電源による電力の供給動作を制御する機能は、同等の機能をハードウェアとしてもソフトウェアとしても実現できる。
また、これらの処理機能の全てをハードウェア又はソフトウェアで実現するだけでなく、その一部はハードウェア又はソフトウェアを用いて実現しても良い。すなわち、ハードウェアとソフトウェアの組み合わせ構成としても良い。
（ｃ）前述の形態例には、発明の趣旨の範囲内で様々な変形例が考えられる。また、本明細書の記載に基づいて創作される各種の変形例及び応用例も考えられる。
【図面の簡単な説明】
【０１０５】
【図１】印刷システム例を示す図である。
【図２】副電源とハードディスク駆動部との接続形態を示す図である。
【図３】副電源と印刷ヘッドとの接続形態を示す図である。
【図４】画像処理部の構成例を示す図である。
【図５】論理回路を用いた副電源の供給と停止を説明する図である。
【図６】システム制御部（スイッチ制御部）を用いた副電源の供給制御と停止制御を説明する図である。
【図７】論理回路を用いた副電源の供給と停止を説明する図である。
【図８】システム制御部（スイッチ制御部）を用いた副電源の供給制御と停止制御を説明する図である。
【図９】システム制御部（印刷開始タイミング制御機能）を用いた印刷開始タイミングの制御を説明する図である。
【図１０】副電源が大容量コンデンサで構成される場合の出力電圧と貯蔵エネルギーとの関係を説明する図である。
【図１１】副電源が大容量コンデンサで構成される場合の出力電圧の検出方法を説明する図である。
【図１２】副電源が二次電池で構成される場合の出力電圧と貯蔵エネルギーとの関係を説明する図である。
【図１３】副電源が二次電池で構成される場合の出力電圧の検出方法を説明する図である。
【図１４】システム制御部（印刷待機時間制御機能）を用いた印刷開始タイミングの制御を説明する図である。
【図１５】主電源と副電源の容量比率と副電源の充電時間との関係を示す図表である。
【図１６】応用装置例を示す図である。
【図１７】応用装置例を示す図である。
【図１８】応用装置例を示す図である。
【図１９】応用装置例を示す図である。
【図２０】応用装置例を示す図である。
【図２１】応用装置例を示す図である。
【符号の説明】
【０１０６】
１００        印刷装置
１１１        主電源
１１３        電源供給スイッチ部
１１５        副電源
１２１        電源供給スイッチ部
１２３        副電源
１３３        システム制御部
１３３１１    スイッチ制御部
１３３１３    スイッチ制御部
１３３３      充電状態測定部
１３３５      印刷開始制御部
１３３７      充電状態測定部
１３３９      待機時間制御部
【図１】
2007245356.tif 000003
【図２】
2007245356.tif 000004
【図３】
2007245356.tif 000005
【図４】
2007245356.tif 000006
【図５】
2007245356.tif 000007
【図６】
2007245356.tif 000008
【図７】
2007245356.tif 000009
【図８】
2007245356.tif 000010
【図９】
2007245356.tif 000011
【図１０】
2007245356.tif 000012
【図１１】
2007245356.tif 000013
【図１２】
2007245356.tif 000014
【図１３】
2007245356.tif 000015
【図１４】
2007245356.tif 000016
【図１５】
2007245356.tif 000017
【図１６】
2007245356.tif 000018
【図１７】
2007245356.tif 000019
【図１８】
2007245356.tif 000020
【図１９】
2007245356.tif 000021
【図２０】
2007245356.tif 000022
【図２１】
2007245356.tif 000023